(57)【特許請求の範囲】
【請求項１】
包囲体内に位置決めされたユーザに治療を行うための装置であって、
制御システムと、ディスプレイと、を有し、
前記制御システムは、命令を記憶するメモリと、アクションを実施するために前記命令を実行するプロセッサと、を有し、
前記アクションは、
測定情報、報告情報、履歴情報、及び、オペレータ選択情報のうちの１又は２以上に基づいて、治療のための複数の設定を発生させること、及び、
ユーザに治療を行うために、前記複数の設定のうちの１又は２以上を選択すること、を含み、前記複数の設定のうちの前記１又は２以上は、オペレータ設定可能であり、
前記アクションは、更に、
床、天井及び８つの壁を含む八角形の前記包囲体内の箇所にユーザを位置決めすることを含み、光は、前記箇所の周りに且つ八角形の前記包囲体の８つの壁の複数に設けられた複数の光源によって提供され、前記８つの壁は、光を前記箇所に集中させて、最大光密度の３次元領域を前記箇所のところに形成し且つ放射光波の共振を前記箇所のところに達成するように構成され、
前記アクションは、更に、
選択した前記複数の設定のうちの前記１又は２以上に基づいて光を前記箇所に向かって放射させるために、前記複数の光源を使用することによって、１又は２以上の期間にわたってユーザに治療を行うこと、
ユーザに関する測定情報及び報告情報のうちの１又は２以上を含む治療後情報を提供すること、及び、
前記治療後情報に基づいて、ユーザに関する報告を発生させることを含み、前記報告は、ユーザに提供された治療の分析を含み、
前記ディスプレイは、前記報告をオペレータ及びユーザのうちの１又は２以上に呈示する、装置。
【請求項２】
前記測定情報は、ユーザの測定身体属性、及び、分光計によって収集されたユーザのスペクトル値のうちの１又は２以上を含む、請求項１に記載の装置。
【請求項３】
更に、反射面を有し、前記反射面は、光を前記箇所に集中させるために、前記天井、前記床、及び、前記８つの壁のうちの１又は２以上に取付けられる、請求項１に記載の装置。
【請求項４】
前記包囲体は、固定構造体、可搬構造体、及び、一時的構造体のうちの１つとして構成され、前記一時的構造体は、１又は２以上の遠隔箇所で組立及び分解可能に構成される、請求項１に記載の装置。
【請求項５】
更に、追加の治療のうちの１又は２以上を提供することを含み、前記追加の治療は、
選択した前記複数の設定のうちの前記１又は２以上に基づいて１又は２以上の芳香を前記包囲体の内側に放射させるために、１又は２以上の芳香治療供給源を使用することによって、１又は２以上の期間にわたってユーザに提供される芳香治療、
選択した前記複数の設定のうちの前記１又は２以上に基づいて１又は２以上の音声信号を前記包囲体の内側に放射させるために、１又は２以上の音声治療供給源を使用することによって、１又は２以上の期間にわたってユーザに供給される音声治療、及び、
選択した前記複数の設定のうちの前記１又は２以上に基づいて前記包囲体の内側の空気を調整するために、１又は２以上の加熱換気及び空気調整（ＨＶＡＣ）デバイスを使用することによって、１又は２以上の期間にわたってユーザに供給される空気治療、
を含む、請求項１に記載の装置。
【請求項６】
更に、前記装置の場所を検出するのに使用される全地球測位システム（ＧＰＳ）送受信機を有し、
前記場所は、前記制御システムによって使用され、前記制御システムは、前記測定情報、報告情報、履歴情報、オペレータ選択情報、複数の設定、選択された設定、又は前記報告のうちの１又は２以上に対して使用される話し言葉を現地語化する、請求項１に記載の装置。
【請求項７】
前記報告情報は、ユーザインタフェースの前記ディスプレイによって表示され、前記報告情報は、ユーザに提供された現在の治療の分析、ユーザに提供された以前の治療の分析、及び、ユーザ及び以前に治療を受けた他のユーザに提供された治療の比較分析のうちの１又は２以上を含む、請求項１に記載の装置。
【請求項８】
包囲体内に位置決めされたユーザに治療を行うための命令を含むコンピュータ可読非一時的ストレージ媒体であって、
コンピュータによる命令の実行は、アクションを提供し、
前記アクションは、
測定情報、報告情報、履歴情報、及び、オペレータ選択情報のうちの１又は２以上に基づいて、治療のための複数の設定を発生させること、及び、
ユーザに治療を行うために、前記複数の設定のうちの１又は２以上を選択すること、を含み、前記複数の設定のうちの前記１又は２以上は、オペレータ設定可能であり、
前記アクションは、更に、
八角形の前記包囲体内の箇所にユーザを位置決めすることを含み、光は、前記箇所の周りに且つ八角形の前記包囲体の複数の壁に設けられた複数の光源によって提供され、前記複数の壁は、光を前記箇所に集中させて、最大光密度の３次元領域を前記箇所のところに形成し且つ放射光波の共振を前記箇所のところに達成するように構成され、
前記アクションは、更に、
選択した前記複数の設定のうちの前記１又は２以上に基づいて光を前記箇所に向かって放射させるために、前記複数の光源を使用することによって、１又は２以上の期間にわたってユーザに治療を行うこと、
ユーザに関する測定情報及び報告情報のうちの１又は２以上を含む治療後情報を提供すること、及び、
前記治療後情報に基づいて、ユーザに関する報告を発生させることを含み、前記報告は、ユーザに提供された治療の分析を含む、コンピュータ可読非一時的ストレージ媒体。
【発明の詳細な説明】
【技術分野】
【０００１】
本発明は、光治療を行う包囲体によってユーザの健康を促進させる方法及びデバイスに関する。
【背景技術】
【０００２】
現代科学は、ストレスの精神的かつ生理学的な機構及び人間の健康に対するその効果への益々深まる洞察を提供している。年齢、家族動態、食事、運動、仕事関連の要求、環境有害物質、及び遺伝的特質を含む広範な要因は、ストレス及びそれに対処する個人の機能に実質的に寄与する場合がある。現在、ストレスは、精神的又は心理学的な現象と生理学的状態の両方として理解されており、これらの両方は、個人に対する緊張、消耗、及び緊迫に関連し、心疾患、体重増加、癌、及び鬱病を含む様々な悪影響を引起こす。
【０００３】
従って、リラクゼーション又はストレス解消が明らかな健康効果を有し、ストレスによって引起こされる不健康な状態を改善し、寿命を長くすることが益々示されている。リラクゼーションは、休暇を取るか、精神治療を受けるか、又はそれ程ストレスの多くない職業を選択するか等の個人の意思決定レベルと、分子生物学的レベルとの両方において様々な方法で促進される場合がある。
【０００４】
光は、昔から生体システムに対して健康に良い効果を引起こすことに関連付けられている。例えば、太陽光の健康促進特性は、アケナトン及びヘロドトスの古代のエジプト文化及びギリシャ文化において受入れられていた経験的知識であった。最近では、最新の科学研究によって光への細胞組織の露出によってある一定の細胞活動を変調させることができることが示されている。様々なエネルギの光（かくして、様々な波長の光）は、細胞組織内の個々の細胞内で一般的に光生体変調と呼ばれる過程において細胞内の生体活動を誘起又は抑制するように異なる機構に対して作用することができる。光治療又は光治療として既知のある一定の光生体変調適用例では、細胞を治癒し、活性化し、回復させ、一部の状況では細胞の再生及び再成長を誘起するために様々な波長が使用される。
【０００５】
細胞組織内に見られるチトクロムＣオキシダーゼ、ヘモグロビン、ミオグロビン、及びニコチンアミドアデニンジヌクレオチド（ＮＡＤＨ）等の生体分子は、光子受容体として認識されており、光子に対する生化学細胞反応を開始するように機能する。これに加えて、細胞組織を光線に露出することで、ある一定の量子場効果がもたらされ、生体細胞は、生体光子と呼ばれる低レベルの光子を発生させることが認識されている。これらの生体光子は本質的に非熱性のものであり、細胞組織内の生理学的機能に結合される。生体光子は、細胞内の化学反応性からの調整活動を示し、同じく細胞の成長及び分化を促進し、例えば、細胞間の生体機能の同期性等の細胞間及び細胞内の通信を与えるための調整活動も所与の細胞組織にわたって実施する。細胞組織内のかかる生体光子は、細胞組織の外部の発生源からの１又は２以上の特定の波長の光線によって模擬することができる。かかる光線は、細胞組織に対して露出された時に、露出された細胞組織の細胞内で調整活動の促進をもたらす。
【０００６】
かくして、特定の波長の低強度光によって細胞活動を上方調整及び下方調整することができることが一般的に受入れられている。光生体変調による細胞活動の上方調整及び下方調整は、サイトカインを抑制し、マトリックスメタロプロテアーゼ（ＭＭＰ）のカスケード反応を阻止し、インターロイキン（ＩＬ）及び組織壊死要因を抑制し、細胞組織の炎症を弱めるのに使用される。光生体変調は、ミトコンドリアの密度及び活動、細胞の増殖及び接着性、並びにＤＮＡ及びＲＮＡの生成に影響を及ぼすためにも使用される。光治療は、血管内皮増殖要因（ＶＥＧＦ）の発現に影響（増強と抑制の両方）を与え、化学的有害物質、電離性有害物質、及び細菌学的有害物質等の広範な有害物質から保護することが示されている。
【０００７】
身体組織に対する様々な波長の既知の効果の少なくとも一部は以下の通りである。黄色範囲（約５７７ｎｍから５９７ｎｍまで）内の光は、マトリックスメタロプロテアーゼ（ＭＭＰ）を下方調整して新しいコラーゲン生成のスイッチをオンにすることによってコラゲナーゼ生成のスイッチをオフにすることが示されている。コラゲナーゼは、動物組織を互いに結合させる未変性コラーゲンを分解する酵素である。かくして、光治療のための黄色範囲の光の使用は、最終的に動物組織内で高い細胞接着をもたらす。赤色範囲（約６４０ｎｍから７００ｎｍまで）内の光は、損傷組織内の炎症を弱め、ＡＴＰ生成を高め、又は他に有益な細胞活動を誘起することが示されている。青色範囲（約４０５ｎｍから４５０ｎｍまで）内の光は、様々な微生物を死滅させることが示されている。例えば、青色範囲の光は、瘡を引起こすプロピオニバクテリウムを細菌によって生成されたポルフィリンを活性化することによって死滅させることが示されている。従って、幼児の黄疸、瘡及び他の皮膚病態、鼻炎、並びに外傷性組織損傷を治療するために光治療が利用されている。
【０００８】
かくして、可視光スケールに沿って変化する光波長が光生体変調効果を有することは既知である。可視青色光及び紫外（ＵＶ）光等の短めの波長を有する光は、長めの波長を有する光よりも高いエネルギを有する。地球に届くＵＶ光は、ＵＶＡ（約３２０ｎｍから約４００ｎｍまで）形態とＵＶＢ（約２９０ｎｍから約３２０ｎｍまで）形態を含む。上記で解説した青色光及び他の可視スペクトルエネルギと同様に、ＵＶ光も、生体過程を変調させるのに重要であるように機能することは既知である。例えば、カルシウム、鉄、マグネシウム、及び亜鉛等のミネラルの食事吸収を高めるのに必要な非食事性ビタミンＤセコステロイドを発生させる際のＵＶＢ光の役割が既知であり、ＵＶＢ放射線は、表皮内でプロビタミンＤ７（７−デヒドロコレステロール）をプレビタミンＤ３に変換し、生物学的に不活性なプレビタミンは、肝臓及び腎臓内でヒドロキシル化され、細胞情報、細胞分化、免疫反応、マクロファージ活動、及び心筋代謝を含む様々な生体機能に影響を及ぼすビタミンＤ３が生成される。
【０００９】
ＵＶＢ放射線への露出は、身体の自然な概日リズムを維持するのにも重要である。代謝活動、睡眠活動、覚醒活動、及び摂食活動は、規則的な日中／夜間の光サイクルに結びつけられることは既知である。かくして、異常概日リズムを矯正するために、気分を改善して鬱病を軽減するために、代謝を増大させるために、筋肉の捻挫又は腱鞘炎等の損傷を治癒するために、又は嚢胞性線維症又は短腸症候群に罹患したユーザ等において食事供給源からのビタミンＤの異常生成を補うために、ＵＶＢ放射線を罹患ユーザに適用することができる。かくして、減少したストレス及び改善された代謝等の様々な望ましい生体状態を発生させる又は促進させるために、青色光及びＵＶＢ光等の高エネルギ光を使用することができる。ユーザは、適切な照射量の高エネルギ光を受光した後により安らぎ、リラックスし、覚醒状態になったように感じる可能性がかなり高く、一般的により良い身体状態及び精神状態にある。
【００１０】
高エネルギ光線治療への一般的な手法は、日焼けランプ又は日焼けベッドを使用する場合に頻繁に見られるような素肌への直近の高強度ＵＶＢ光の印加を伴うものである。しかし、過度のＵＶＢ放射線は、直接的な太陽光又は光伝達デバイスを通してのいずれであってもＤＮＡ内に突然変異、破壊、及び他の望ましくない現象を引起こす場合があり、皮膚癌のリスクを高め、多くの場合に患者の皮膚を焦がす又は他に損傷する。一方、白熱照明等の汎用照明は、望ましい光生体変調効果を促進させるほど十分なエネルギを送出しない。かくして、最適な治療結果に対しては、ＵＶＢ光源又は青色光源の強度、光源から患者までの距離、及び適切なエネルギの光の下での患者の全体的露出又は「浴」を管理することが必要である。
【００１１】
リラックスした回復状態を促進させるか又は発生させるために非視覚刺激が助けになる場合もある。例えば、ある一定の音声信号が血圧を低減し、脈拍数を下げ、筋肉をリラックスさせ、酸素消費量を下げ、又は他に身体がストレス状態又は覚醒状態から鎮静した回復状態に遷移するのを促進させることができることは既知である。例えば、大音量の不協和音声信号はストレス反応を開始する可能性があり、それによって脳は、ストレス誘起性の炎症に対処するためにコルチゾール及び他の関連ホルモンを放射させるが、クラシック音楽、合唱曲、海の波の音、又は亜音波又は超音波の振動等の癒し音声信号は鎮静効果を有することができ、内分泌系及び交感神経系をリラックスさせ、身体のエネルギを修復及び均衡状態に向かって誘導する。従って、適切に選択された音声治療は、ユーザ内でリラックス状態を促進させる又は引起こすことができる。
【００１２】
同様に、芳香治療に使用されるもの等の癒し芳香は、交感神経系を鎮静し、脳をリラックスさせ、コルチゾール等のストレスホルモンの生成を下方調整し、サイトカイン及びコルチコトロピン放射ホルモン等の抗炎症化合物の生成を上方調整することは既知である。リラクゼーション治療は、空間内のユーザの身体快適性等の所与のユーザに影響を及ぼす他の環境要因、かくして、ユーザが快適な面上に立っているか又は座っているか、並びに環境空気が十分に温かいか、冷たいか、爽やかか、アレルギー原及び刺激物質などが不在であるかも考慮することができる。
【００１３】
光治療及び芳香治療等の治療は、治療計画の一部として時間経過に伴って複数の機会に適用される場合がある。所与の治療期間又は治療計画全体の有益な効果を最適化するために、ユーザ情報は、理想的な治療設定を命令するために収集、記憶、かつ分析することができると考えられる。
【発明の概要】
【００１４】
従って、光治療を単独で又は他の感覚治療と併用して用いてリラクゼーションを促進させるためのデバイス及び情報主導式方法を提供する必要性が存在する。かくして、本発明が行われたのは、これらの考察及びその他に関連してのものである。
【００１５】
本発明の非限定的かつ非包括的な実施形態を以下の図面を参照して説明する。図面では、別途指定しない限り、様々な図を通して同じ参照番号が同じ部分を参照する。
【００１６】
本発明のより良い理解に向かって、添付図面に関連付けながら読まれるべきである以下の本発明の「発明を実施するための形態」を参照する。
【図面の簡単な説明】
【００１７】
【図１Ａ】本発明による光治療のための包囲体の一実施形態の斜視図である。
【図１Ｂ】制御システムを有し且つユーザが休んでいる図１Ａの包囲体の分解破断図である。
【図１Ｃ】本発明により、ユーザが光治療を受けている図１Ａの包囲体の平面断面図である。
【図２Ａ】本発明による光治療のための包囲体の別の実施形態の斜視図である。
【図２Ｂ】制御システムを有し且つユーザが休んでいる図２Ａの包囲体の分解破断図である。
【図２Ｃ】本発明により、ユーザが光治療を受けている図２Ａの包囲体の平面断面図である。
【図３】本発明により、ユーザ情報にアクセスして治療のための１又は２以上の設定を制御又は選択するための制御システムを示すブロック図である。
【図４Ａ】本発明により、ユーザに治療を行って、ユーザの治療後情報に基づいてユーザに関する報告を発生させる方法の一実施形態を全体的に示す論理流れ図である。
【図４Ｂ】本発明により、ユーザに治療を行う前にユーザ情報を提供してユーザのための治療値を選択する方法の一実施形態を全体的に示す論理流れ図である。
【図４Ｃ】本発明により、ユーザに光治療を行って、１又は２以上の他の治療を選択的に行う方法の一実施形態を全体的に示す論理流れ図である。
【図４Ｄ】本発明により、ユーザのための治療期間を完了して、治療後ユーザ情報を提供する方法の一実施形態を全体的に示す論理流れ図である。
【図４Ｅ】本発明により、ユーザ情報に基づいてユーザに関する報告を発生させる方法の一実施形態を全体的に示す論理流れ図である。
【図５Ａ】本発明により、ユーザ情報を入力し且つそれにアクセスして、ユーザに関する報告を発生させる制御システムのためのオペレータインタフェースの一実施形態の例を示す図である。
【図５Ｂ】本発明により、一連の治療期間にわたって報告されたユーザストレスレベルに基づいてユーザの治療を評価する制御システムのためのユーザインタフェースの一実施形態の例を示す図である。
【図５Ｃ】本発明により、一連の治療期間にわたるユーザの身体四肢の温度に基づいてユーザの治療履歴を評価する制御システムのためのユーザインタフェースの一実施形態の例を示す図である。
【図５Ｄ】本発明により、以前の治療設定に基づいてユーザ治療設定を選択する制御システムのユーザインタフェースの一実施形態の例を示す図である。
【図５Ｅ】本発明により、１又は２以上の治療設定を選択する制御システムのためのオペレータインタフェースの一実施形態の例を示す図である。
【図６】本発明により、包囲体内に位置決めされたユーザに治療を行う命令を含むコンピュータ可読非一時的ストレージ媒体を有するコンピュータの一実施形態の例を示す図である。
【発明を実施するための形態】
【００１８】
以下では、本明細書の一部を形成して特定の実施形態を示す添付図面を参照して様々な実施形態をより完全に説明する。しかし、本発明は、多くの異なる形態に具現化することができ、本明細書に示す実施形態に限定されるものと解釈すべきではなく、これらの実施形態は、本発明の開示が徹底した完全なものになり、本発明の範囲を当業者に完全に伝えることになるように提示するものである。とりわけ、本発明は、デバイス又は方法として具現化することができる。従って、様々な実施形態は、完全にデバイスの実施形態、完全に方法の実施形態、又はデバイス態様と方法態様とを組み合わせる実施形態とすることができる。以下の詳細説明は、従って、非限定的なものとする。
【００１９】
本明細書及び特許請求の範囲を通して、以下の用語は、状況が別途明確に指定しない限り、本明細書に明示的に関連付けられた意味を取る。「本明細書では」という用語は、この出願に関連する明細書、特許請求の範囲、及び図面を指す。本明細書で使用する場合に、「一実施形態では」又は「様々な実施形態のうちの少なくとも１つでは」という表現は同じ実施形態を指す場合もあるが、必ずしも同じ実施形態を指すわけではない。更に、本明細書に使用する場合に、「別の実施形態では」という表現は、異なる実施形態を指す場合もあるが、必ずしも異なる実施形態を指すわけではない。かくして、下記で説明するように、様々な実施形態は、容易に組み合わせることができる。
【００２０】
これに加えて、本明細書に使用する場合に、用語「又は」は、状況が別途明確に指定しない限り包含的「ｏｒ」演算子であり、用語「及び／又は」と同等である。「に基づいて」という用語は、状況が別途明確に指定しない限り排他的ではなく、記載しない追加の要因に基づくことを許容する。更に、本明細書を通じて「ａ」、「ａｎ」、及び「ｔｈｅ」の「意味は、複数の参照を含む。「内の」の意味は、「内の」及び「上の」を含む。
【００２１】
本明細書に使用する場合に、「ストレス」という用語は、緊迫感及び押圧感、並びに関連の身体的兆候及び根底にあるストレスの要因を指す。「ストレス」という用語は、人間の１又は２以上の生理学的状態又は精神的状態を包含する。生理学的ストレス状態及びその兆候は、疲労と、栄養失調と、脱水と、消化不良と、高血圧と、標準よりも大きい心拍数と、多汗と、心臓の動悸と、低体温（特に手指又は足指等の身体四肢で測定した時）と、筋肉の緊張と、頭痛と、コルチゾールレベルの増大と、睡眠不足と、アドレナリンレベルの増大と、急激な代謝変化と、体重増加と、早老と、不整呼吸と、脆弱な又は損傷した歯と、サイトカインレベルの増大と、割れた、すり減った、薄くなった、又はくすんだ毛髪、手指の爪、又は足指の爪と、並びに血流、血液含有量、及び組織活動の尺度としての身体組織による光の透過及び吸収等の身体エネルギ動態の全体的変化とを含むがこれらに限定されない。
【００２２】
精神的ストレス状態及びその兆候は、不安感と、憂鬱感と、不快感と、押圧感と、自分又は他者の否定的な見方と、楽観の欠如と、疲労と、無気力と、焦燥感と、罪悪感と、消耗感と、憔悴感と、責任又は外部刺激に対処することができない感覚と、狼狽感と、めまぐるしい思考変化と、混乱感と、孤独感とを含むがこれらに限定されない。
【００２３】
本明細書に使用する場合に、「リラックス」及び「リラクゼーション」という用語は、緊張した、張り詰めた、又は強ばった状態が和らぎ、鎮静状態になる感覚又は生理学的又は精神的な状態を指す。生理学的リラクゼーションの兆候は、心拍数の低下と、血圧の低下と、四肢での体温の改善と、筋肉緊張の低下と、コルチゾールレベルの低下と、サイトカインレベルの低下と、規則的な呼吸と、睡眠の改善と、消化の改善と、堅実な代謝と、フリーラジカル化学種の消費及びＤＮＡの修復等の細胞機能の改善と、アドレナリンレベルの低下と、張りのある引き締まった皮膚と、ふさふさで光沢のある毛髪と、堅牢な歯と、艶のある手指及び足指の爪と、健全な筋緊張とを含むがこれらに限定されない。
【００２４】
精神的リラクゼーションの兆候は、鎮静感と、覚醒感と、安らぎと、楽観と、自信と、全身のエネルギと、若返り感と、ストレス、精神的外傷、悲痛、怒り、及び失望に対処する機能の改善と、精神的明瞭度の改善と、ゆったり感と、自分及び他者への共感とを含むがこれらに限定されない。
【００２５】
本明細書に使用する場合に、「光治療」という用語は、疾患又は不健康状態、例えば、ストレスの生理学的態様及び精神的態様を含む疾患又は不健康状態の１又は２以上の兆候の改善を促進させる又は引起こすためのヒト被験者への赤外線光線、可視光、及び紫外線を含む電磁スペクトルに沿う１又は２以上の光エネルギの印加を指す。本発明の光治療は、２９０ｎｍと９００ｎｍの間の非レーザ形態にある集中光をヒトユーザの皮膚、毛髪、手指の爪又は足指の爪、又は目等のヒトユーザの外部組織に無遮蔽で、瞼を通して、又は透明、半透明、半透過性、又は弱透過性のレンズ又は保護カバーを通じたいずれかで投射することを伴っている。
【００２６】
本明細書に使用する場合に、「光強度」という用語は、光源から放射される光エネルギの尺度を指す。光強度は、例えば、放射強度（ワット毎ステラジアン）、光度（ルーメン毎ステラジアン又はカンデラ）、及び照射（ワット毎平方メートル）を含むいくつかの方法で測定することができる。光強度は、光源で又はそれに近い箇所で測定することができ、又は光を受光する被験者の点で測定することができる。
【００２７】
本明細書に使用する場合に、「光密度」という用語は、所与の時間に所与の面上又は所与の３次元空間に存在する光波又は粒子（「光子」）の密度を指す。
【００２８】
本明細書に使用する場合に、「光共振」という用語は、ユーザの身体との共振エネルギ周波数を同期、促進、又は増幅するほど十分なエネルギの光のヒトユーザへの印加を指し、光共振は、ヒトユーザにおいて治癒及び健康を促進させると考えられる。
【００２９】
本発明による光治療に関して本明細書に使用する「浴」又は「浴させる」という用語は、ヒトユーザを包囲する又は部分的に包囲するように３次元空間内に光を集中させることを指す。光は、波と粒子の両方として伝播するので、光波及び光粒子の測定可能な存在を有する空間は、光密度を有するということができる。ヒトユーザの周りの所与の３次元空間光密度が高く、より高い光密度がヒトユーザを包囲する程、３次元空間内のユーザ及び任意の他の物体は、光に「浴する」ということができる。
【００３０】
本明細書に使用する場合に、「芳香治療」という用語は、ユーザ内でリラクゼーション状態又は低ストレス状態を促進させる又は引起こすための１又は２以上の心地よい芳香族化合物の適用を指す。例えば、ビャクダン、バニラ、ハイビスカス、マツ、シナモン、ラベンダー、カモミール、ベルガモット、ジャスミン、バラ、ブラックベリー、スグリ、セージ、ワイルドグラス、及びライラックなどのエキス等のある一定の自然発生芳香族化合物は、嗅覚を通して交感神経系に対して鎮静効果を有することが広く既知である。例えば、ユーザの家庭、好みの食品、キャンプファイア、又はペット動物の匂い等の他の香気は、所与のユーザ内でリラクゼーションを促進させることに対してより特定のものである場合がある。芳香治療に使用するための芳香族化合物は、自然発生源又は合成発生源から来る場合があり、例えば、燃えている蝋燭、ポプリ、香水、フレグランスオイル、香辛料、又は芳香油を通してユーザに投与又は送出することができる。
【００３１】
本明細書に使用する場合に、「音声治療」という用語は、ユーザ内でリラクゼーション状態又は低ストレス状態を促進させる又は引起こすためのヒトユーザへの１又は２以上の心地よい音声信号の印加を指す。本発明による音声治療は、亜音波範囲、可聴範囲、又は超音波範囲の音を含む。音声治療のエネルギは、ヒトユーザが感じる、聞く、又は他に感知するのに十分であるが、ユーザに対して不快、苦痛、又は有害になるレベルよりも低い。音声治療は、例えば、クラッシック音楽、自然音、宗教歌、現代的な癒し音楽、又は共振周波数又は振動等の超低癒し周波数の形態を取ることができる。音声治療は、スピーカ等の１又は２以上の音声治療供給源によって送出することができ、又はライブ楽器によって送出することができる。
【００３２】
本明細書に使用する場合に、「空気治療」という用語は、ユーザ内でリラクゼーション状態又は低ストレス状態を促進させる又は引起こすためのヒトユーザ及びユーザの周りの空間への特定の属性を有する空気の印加を指す。所与のユーザの嗜好に基づいて、空気治療は、例えば、指定温度又は指定温度範囲、指定湿度又は指定湿度範囲、指定酸素レベル又は指定酸素レベル範囲、指定静水圧又は指定静水圧範囲の空気、ユーザの周りの指定空気移動レベル（例えば、換気レベル）、空気がイオン化処理されているか否か、又は刺激物質又はアレルギー原を除去するために空気がフィルタリングされているか否か等の指定属性を有する空気を含む。
【００３３】
本明細書に使用する場合に、「概日リズム」という用語は、約２４時間の内因性変化を示し、例えば、腸の運動、メラトニン分泌、テストステロン分泌、血圧変化、睡眠サイクル、筋効率、及び代謝等の日中光サイクルに関するいずれかのヒト生体過程を指す。
【００３４】
本明細書に使用する場合に、「分光計値」という用語は、ヒトユーザの身体から分光計によって測定可能なエネルギ値を指す。分光計は、例えば光波などの電磁放射線等の様々なスペクトルにわたってエネルギを測定することができる。例えば、分光計は、組織の血流、活動、及び一般状態に関する分光計値を与えるために所与の身体組織を通過するか又はそこから反射される近赤外線放射線の量を測定するのに使用することができる。
【００３５】
本明細書に使用する場合に、「発見的」という用語は、実験的試行錯誤かつ観察的方法による学習、発見、又は問題解決のための技術又はかかる技術を適用する体験を通して得られる情報を指す。一例として、治療プロトコルを調節するための発見的手法は、プロトコルを実施する段階の複数回の反復、各反復回の後及び一連の反復回の後に実施されるプロトコルの効果を決定すること、及び次回の実施の前に決定された効果を踏まえてプロトコルを調節することを含む。
【００３６】
以下では、本発明の一部の態様の基本的な理解を提供するために本発明の実施形態を簡単に説明する。この簡単な説明は、広範囲にわたる概要として意図したものではない。この説明は、重要又は決定的な要素を明らかにすること、又は範囲を線引きする又は他に絞り込むように意図したものではない。この説明の目的は、後に提示するより詳細な説明への導入部として一部の概念を簡略化した形態で提示することに過ぎない。
【００３７】
要約すると、実施形態は、ユーザに治療、例えば、光治療を行う包囲体に関する。様々な実施形態のうちの少なくとも１つにおいて、装置は、ユーザに少なくとも光の治療を行うための制御システムを含む。制御システムは、命令を記憶するメモリと、アクションを実行するための命令を実行するプロセッサを含む。例えば、アクションは、ユーザスペクトル値又はユーザ身体属性等のユーザ測定情報、ユーザのストレスレベルに関する観察、ユーザの以前の治療設定等のユーザ又はオペレータの報告情報、ユーザ又は治療を受けた複数の他のユーザに関する履歴情報、又はオペレータ選択情報のうちの１又は２以上に基づいて複数の設定を発生させることと、ユーザに治療を行うための１又は２以上の設定を選択することと、治療を受けるユーザを下記で説明する包囲体内に位置決めすることと、ユーザに関する治療後情報を収集することと、ユーザに関する報告を治療後情報に基づいて発生させることを含む。装置は、報告をオペレータ及び／又はユーザに提示するディスプレイを更に含む。
【００３８】
上述のように、装置は、ユーザに治療を行うための包囲体を含む。様々な実施形態のうちの少なくとも１つにおいて、ユーザは、床、天井、又は１又は２以上の壁のうちの１又は２以上に位置決めされた複数の光源を含む包囲体内の特定の箇所に位置決めされる。複数の光源の各々は、持続時間、強度、上昇、下降、横ばい、及び振動などに関する１又は２以上の選択設定に基づいて１又は２以上の期間にわたってこの特定の箇所に向かって光を放射させるように配置される。様々な実施形態のうちの少なくとも１つにおいて、光は２９０ｎｍと９００ｎｍの間にある。様々な実施形態の少なくとも幾つかにおいて、光は、ＵＶ光、青色光、又は赤外線光である。
【００３９】
包囲体の床、天井、及び各壁は、複数の光源によって光が提供される時に光を上述の箇所に集中させ、それによってユーザが光に浴するように構成される。例えば、これらの光源のうちの１又は２以上によって放射された光を包囲体内の特定の箇所に集中させるために、１又は２以上のレンズを使用することができる。様々な実施形態のうちの少なくとも１つにおいて、包囲体は八角形の形状を含む。他の実施形態では、包囲体は、円形、楕円形、球形、正方形、三角形、矩形、五角形、六角形、七角形、十二角形、又は任意の他の形状のうちの１つの形状を含む。様々な実施形態のうちの少なくとも１つにおいて、包囲体は、９フィート（２．７４メートル）の直径を含む。
【００４０】
様々な実施形態のうちの少なくとも１つにおいて、包囲体は、包囲体に置かれるユーザのための安静面を含む。安静面は、テーブル、ベッド、椅子、スツール、簡易ベッド、及びハンモックなどとすることができる。リラクゼーションを容易するために、ユーザを安静面上に位置決めすることができる。
【００４１】
様々な実施形態のうちの少なくとも１つにおいて、包囲体は、ユーザに向けられた放射光を反射させ、焦点に向け、及び／又は集中させるために、天井、床、又は１又は２以上の壁のうちの１又は２以上に取付けられた１又は２以上の反射面を含む。様々な実施形態のうちの少なくとも１つにおいて、包囲体は、水が治療中に複数の光源によって放射される光で照射されるような箇所に位置決めされた水の容器を含む。容器は、透明、半透過性、不透明、反射性、又はこれらの性質のうちの２又は３以上の組合せとすることができる。治療後に、ユーザは、自分の健康を更に改善するために容器から水を飲むことができる。
【００４２】
一実施形態では、包囲体は、建物内の部屋等の固定構造体である。別の実施形態では、包囲体は、車両によって牽引可能なトレーラ上に位置決めされた部屋、又はキャンピングカー等の自動車内の部屋のうちの１つを含む可搬構造体である。更に別の実施形態では、包囲体は、１又は２以上の遠隔箇所での組立及び分解可能に構成された一時的構造体である。
【００４３】
包囲体は、１又は２以上の選択設定に基づいて音声信号を用いた音声治療、芳香を用いた芳香治療、又は調整された空気を用いた空気治療のうちの１又は２以上をユーザに行うように更に構成される。制御システムは、包囲体内でユーザに行われる様々な治療の１又は２以上の設定を変更することができる。様々な実施形態のうちの少なくとも１つにおいて、制御システムは、１又は２以上の選択設定に従って治療の持続時間、強度、及び／又は種類を変更することができる。
【００４４】
例えば、１又は２以上の選択設定は、上昇、下降、横ばい、強度上昇、強度下降、光源の種類、音声源の種類、芳香の種類、芳香の量、空気温度、空気湿度、空気のイオン化、空気の濾過、又は期間のうちの１又は２以上を含む。様々な実施形態のうちの少なくとも１つにおいて、複数の光源を、治療期間の経過の間、上昇させること、横ばいにすること、及び下降させることによって１又は２以上の日中光サイクルを模擬するように構成される。様々な実施形態のうちの少なくとも１つにおいて、選択設定のうちの１又は２以上は、オペレータによって設定可能である。
【００４５】
治療が終了すると、治療後プロトコルを実施することができる。様々な実施形態のうちの少なくとも１つにおいて、光治療の後に飲むための処理水をユーザに提供することができる。ユーザに関する治療後情報は、ユーザ又はオペレータのうちの１又は２以上によって与えられ、選択的に収集される。治療後情報は、ユーザに関する測定情報及び報告情報のうちの１又は２以上を含む。例えば、測定情報は、例えば、血圧、心拍数、並びに手指及び足指等の身体四肢において測定された体温等のユーザからの測定スペクトル値又はユーザからの測定身体属性を含む。人体がリラックス状態にある時には、手指等の四肢は、血管がリラックス状態にあることに起因して温かめである。人体がストレス状態にある時には、血管は収縮し、手指は冷たくなる傾向を有する。
【００４６】
様々な実施形態のうちの１又は２以上において、ユーザに関する報告情報は、例えば、ユーザの報告によるストレスレベル、身体的感覚、及び健康の感覚などを含む。治療の効果を分析して将来のアクションの行程を通知するために、ユーザに関する報告が治療後情報に基づいて発生される。ユーザに行われた現在の治療の分析、ユーザに行われた以前の治療の分析、及びユーザに行われた治療と以前に治療を受けた他のユーザに提供された治療との比較分析などのうちの１又は２以上を含む報告は、ユーザインタフェース上に表示することができる。
【００４７】
様々な実施形態のうちの更に別のものにおいて、包囲体の物理的場所を検出するために全地球測位システム（ＧＰＳ）送受信機が使用される。包囲体の箇所は、測定情報、報告情報、履歴情報、オペレータ選択情報、複数の設定、選択設定、又は報告のうちの１又は２以上を表示するのに使用される書き言葉及び測定単位を現地語化するために制御システムによって使用される。例えば、包囲体がメキシコ内に所在することをＧＰＳセンサが検出した場合に、制御システムは、言語をスペイン語に現地語化することになり、測定単位はメートル法、かくして、ポンド及びフィートの代わりにキログラム及びメートルになる。
【００４８】
本発明は、本発明により包囲体内に位置決めされたユーザに治療を行うための命令を含むコンピュータ可読非一時的ストレージ媒体を更に含む。
【００４９】
図１Ａは、本発明による装置の一実施形態を示している。この図に示すように、この装置は、天井１０４と、床１０６と、天井１０４と床１０６の間を実質的に垂直方向に延びる壁１０２を有する包囲体１００を含む。壁１０２の各々は、様々な身長のヒトユーザが包囲体１００内に楽に入室して適所に立ったり休んだりすることができるのに十分な寸法のものである。包囲体１００への入室及びそれからの退室は、例えば、ドア１０８等の入口によって容易にすることができる。一実施形態では、包囲体１００は、建物内の部屋等の固定構造体である。別の実施形態では、包囲体は、例えば、移動住宅内の部屋又はトレーラ車両上の部屋等の可搬構造体である。別の実施形態では、包囲体は、１又は２以上の遠隔箇所での組立及び分解可能に構成された一時的構造体である。別の実施形態では、包囲体は、例えば、遠隔箇所での組立のためのキットの形態で製造及び販売することができる。
【００５０】
この図に示すように、様々な実施形態のうちの少なくとも１つにおいて、包囲体１００は八角形の形状から構成される。真上又は真下から見た場合に、天井１０４及び床１０６の各々は、８つの等しい角と、壁１０２に対応する８つの等しい辺を有する平面を定める。図１Ｃ及び図２Ｃを参照してより詳しく以下に説明するが、ある形状の包囲体は、他の形状よりもユーザに光治療を行うのに適している。かくして、包囲体１００の形状を本明細書に説明するある一定の基準に従って選択することができる。他の様々な実施形態では、包囲体は、例えば、円形、楕円形、球形、四角形、三角形、矩形、五角形、六角形、七角形、八角形、九角形、及び十二角形などの形状を取ることができる。
【００５１】
図１Ｂを参照してより良く理解されるように、様々な実施形態のうちの少なくとも１つは、メモリ、及びプロセッサ（図示せず）及び／又は特定用途向け集積回路（ＡＳＩＣ）等の論理回路などを含む制御システム１２８を含む。制御システム１２８は、例えば、ユーザ１２４に行われる治療を提供し、モニタし、分析し、かつこの治療に対して報告すること等のアクションを実行するためにその後に実行される命令を受入れ、記憶し、かつ実行するように構成される。
【００５２】
図４Ａ〜図４Ｅを参照してより詳細に以下に説明するが、これらのアクションは、例えば、治療のための複数の設定を発生させる段階と、ユーザ１２４に治療を行うために、複数の設定のうちの１又は２以上を選択する段階と、包囲体１００内の箇所にユーザ１２４を位置決めする段階を有し、包囲体１００は、複数の光源１２６を含み、包囲体１００は、光を上記箇所に差し向けるように構成され、複数の光源１２６によって１又は２以上の期間にわたって放射され、１又は２以上の選択設定に基づいてこの箇所に向けられる光を用いてユーザ１２４に光治療を行う段階と、ユーザ１２４に行われる治療をモニタする段階と、ユーザ１２４に関する治療後情報を提供する段階と、治療後情報に基づいてユーザ１２４に提供された治療に関する報告を発生させる段階とを含む。報告は、ユーザ１２４に行われる治療の分析を含む。様々な実施形態のうちの少なくとも１つにおいて、制御システム１２８にはディスプレイ１３０が結合される。ディスプレイ１３０は、制御システム１２８のオペレータ（図示せず）及びユーザ１２４のうちの１又は２以上に報告を提示する。
【００５３】
図１Ｂでは、図１Ａで提供した図に対して１８０°回転させた包囲体１００が、分解破断図で詳細に示される。この図に示すように、包囲体１００は、包囲体１００の周りの壁１０２の各々に沿って位置決めされた複数の光源１２６を含む。複数の光源１２６は、これに加えて又はこれに代えて、床１０６又は天井１０４のうちの１つ又は２つに沿って位置決めされてもよいことを認識すべきである。複数の光源１２６のうちの１又は２以上は、２９０ｎｍ〜９００ｎｍ等の１又は２以上の波長の光を送出するように構成される。様々な実施形態のうちの１つでは、複数の光源１２６のうちの１又は２以上は、様々な機能、例えば、減衰、上昇、下降、維持、振動、パルス、及び停止を行うことができる照明系１４０によって制御される。複数の光源１２６によって送出される光は、蛍光ＵＶＢ光又は白熱ＵＶＡ光等の紫外線、青色光等の可視スペクトル内の光、又は遠赤外線光等の赤外線光のうちの１又は２以上であるのがよい。更に、複数の光源１２６のうちの１又は２以上は、１又は２以上のレンズ（図示せず）を含み、かかるレンズは、放射光を包囲体１００内の１つの箇所に更に差し向けて集中させてもよいし、放射光をかかる箇所に集中させなくてもよい。
【００５４】
様々な実施形態の少なくとも幾つかにおいて、天井１０４、床１０６、又は壁１０２のうちの１又は２以上は、包囲体１００の中心であっても異なる箇所であってもよい箇所に光を集中させるように構成される。例えば、各壁１０２は、かかる箇所から等距離にある。これに代えて又はこれに加えて、天井１０４又は壁１０２のうちの１又は２以上は、凸面、凹面、ドーム形、又はアーチ形であってもよい。
【００５５】
様々な実施形態の少なくとも幾つかにおいて、包囲体１００は、天井１０４、床１０６、又は壁１０２のうちの１又は２以上に取付けられた反射面を更に含む。例えば、包囲体１００の内部は、壁１０２、天井１０４、及び床１０６の全て又は一部に沿って取付けられたＭｙｌａｒ（登録商標）を含む。これに代えて、床１０６は、全体又は一部をステンレス鋼で構成されてもよいし、塗料等の反射性物質のコーティングを有していてもよい。
【００５６】
この図に示すように、包囲体１００は、治療を受ける間のユーザ１２４が楽に休むために、包囲体１００内に位置決めされた安静面１２２を含む。図１Ｂに示すように、安静面１２２はベッドである。様々な実施形態では、安静面は、これに代えて、テーブル、椅子、カウチ、リクライニング椅子、スツール、簡易ベッド、及びハンモック等であってもよい。
【００５７】
様々な実施形態のうちの少なくとも１つにおいて、安静面１２２は、反射性材料から構成され、又はこれに代えて、放射光をユーザ１２４上に更に反射するために複数の光源１２６によって放射された光が通過することを許すように半透過性、透明、又は半透明の材料から構成される。例えば、図１Ｃ及び図２Ｃに示すように、安静面１２２は、その上で休んでいるユーザ１２４が複数の光源１２６からの光に浴するのに適した高さに位置決めされる。従って、安静面１２２は、複数の光源１２６からの光を受光するのに最適な位置にユーザ１２４を位置決めするように調節可能であるのがよい。
【００５８】
図４Ｄに関して後でより詳細に説明するが、包囲体１００は、更に、光治療によって処理されるべき水を含み、かかる水は、治療をユーザ１２４に行った後にユーザ１２４が飲むために引き続いてユーザに提供される。複数の光源１２６によって放射された光による水の処理は、水を滅菌、浄化、活性化、又は別途再活性化することができる。図１Ｂに示す実施形態では、水は容器１２０内に貯蔵される。容器１２０は、包囲体１００内の安静面１２２に近い箇所にあるテーブル１１８上に載っている。
【００５９】
本発明による装置は、例えば、芳香治療、音声治療、又は空気治療を含む１又は２以上の追加の治療を更に行う。従って、図１Ｂに示すように、包囲体１００は、音声システム１３２に結合された１又は２以上の音声治療供給源１１０と、芳香治療システム１３６に結合された１又は２以上の芳香治療供給源１１６と、１又は２以上のＨＶＡＣシステム１３８に結合された加熱換気及び空気調整（ＨＶＡＣ）デバイス１１４を更に含む。更に、様々な実施形態のうちの１又は２以上において、ＨＶＡＣシステム１３８は、包囲体１００内のユーザ１２４に向かって追加の酸素を提供することができる。同じく複数の光源１２６も、それを制御するための様々な機能、例えば、減衰、上昇、下降、維持、振動、パルス、及び停止を行うことができる照明系１４０に結合される。包囲体１００は、ユーザが包囲体１００内にいる時にユーザ１２４の安全をモニタするためにビデオシステム１３４に結合された１又は２以上のビデオカメラ１１２を更に含む。音声システム１３２、ビデオシステム１３４、芳香治療システム１３６、ＨＶＡＣシステム１３８、及び照明系１４０の各々は、制御システム１２８に結合され、それによって制御される。ディスプレイ１３０が制御システム１２８に結合され、オペレータ（図示せず）が、とりわけ、様々な種類の治療のうちの１又は２以上及びそれに対応する設定を制御することを可能にする。
【００６０】
例えば、オペレータは、複数の光源１２６によってユーザ１２４に放射される光の波長、強度、持続時間、上昇、下降、減衰、及び送出サイクルを制御するために制御システム１２８を使用することができる。様々な実施形態の少なくとも幾つかにおいて、１又は２以上の治療が行われる期間は、例えば、ユーザ１２４に対してオペレータが構成する設定に依存して比較的短くてもよいし（数分）、かなり長くてもよい。例えば、光の強度に基づいて、約３分の治療期間は、ユーザ１２４内に５，０００国際単位（ＩＵ）と７，０００国際単位（ＩＵ）の間のビタミンＤを発生させることができ、それに対して約１８分の治療期間は、ユーザ１２４内に約４０，０００国際単位（ＩＵ）を発生させることができる。
【００６１】
様々な実施形態のうちの少なくとも１つにおいて、光治療期間にユーザ１２４に提供される光を、治療期間の経過の間、１又は２以上の日中サイクル、例えば、「日の出」フェーズ、それに続く「日中」フェーズ、更に「日の入り」フェーズの１又は２以上のサイクルを模擬するように設定してもよい。１又は２以上の日中サイクルの模擬は、ユーザ１２４の自然な概日リズムを再設定又は誘起し、それによって例えば治癒、睡眠、消化、エネルギ、セロトニン生成、全体的な気分、又は意識の改善を促進させる。例えば、光治療期間は、光の強度が上昇する「日の出」フェーズ、それに続くピーク強度、更に続く光の強度が低下する「日の入り」フェーズによって特徴付けることができる。
【００６２】
様々な実施形態の少なくとも幾つかにおいて、複数の光源１２６からの光の強度又は種類（例えば、波長、偏光、非偏光、フィルタリング、又は未フィルタリング）を、治療期間の経過の間、段階的に変更してもよいことを認識すべきである。従って、光を緩慢又は急速に上昇させたり、短い期間又は長い期間にわたって横ばいにしたり、緩慢又は急速に下降させたりしてもよいし、光の強度、種類、又は光源を変更してもよい。例えば、１つの設定では、光強度を、治療期間の経過の間、緩慢に上昇させ、急速に下降させ、急速に再度上昇させ、次いで緩慢に下降させるように設定してもよい。光の上昇又は下降は、徐々に行ってもよいし、段階的に行ってもよく、上昇期間又は下降期間中の段階は、同じ上昇期間又は下降期間中の別の段階と同じ長さであってもよいし、異なる長さであってもよい。
【００６３】
かくして、１つの設定では、光を、急速に上昇させ、治療期間の大部分にわたって横ばいにし、次いで急速に下降させてもよい。別の設定では、光を、振動させ、治療期間の経過の間、数回連続的に上昇させ、ピークを構成し、下降させてもよい。更に別の設定では、光を、治療期間の大部分にわたって緩慢に上昇させ、少しの間ピークを構成し、次いで急速に下降させてもよい。更に別の設定では、光を、治療期間の経過の間、全体的に上昇させるが、光を全体的に上昇させたとき、小さい下降期間又は一時的な下降があってもよい。
【００６４】
更に別の設定では、提供される光の種類を、治療期間の経過の間、青色光、ＵＶＢ光等の可視光と赤外線光との間で変えてもよい。更に別の設定では、光を完全に減衰させてもよく、光治療期間中の１又は２以上の期間にわたって光を提供しない場合があってもよい。更に別の設定では、提供される光の種類を、治療期間の経過の間、継続させてもよく、この種類は、可視光、ＵＶＢ光、又は赤外線光のうちの１又は２以上を含む。光設定は、例えば、ユーザからのフィードバックに基づいて、治療期間中にオペレータが設定可能である。しかし、本発明は、そのように限定されず、光治療をユーザ１２４に提供するために多くの異なる変形の多くの他の光治療設定を選択してもよいことを認識すべきである。
【００６５】
様々な実施形態のうちの少なくとも１つにおいて、制御システム１２８は、例えば、包囲体１００内のユーザ１２４に１又は２以上の音声治療供給源１１０によって送出される１又は２以上のリラクゼーション音声信号の送出、選択、音量、音質、持続時間、及び配置をオペレータが制御することを可能にするように構成される。１又は２以上の音声治療供給源１１０は、交感神経系に対して癒し効果を有し、更に細胞レベルでは再生効果を有すると考えられる、例えば、ショパン、バッハ、モーツァルト、ヘンデル、ベートーベン、ハイドン、及び類似の個人などの作曲家による作品等のクラシック音楽を送出することができる。これに加えて又はこれに代えて、１又は２以上の音声治療供給源１１０は、他の形態の癒し音楽、又は海の波の音、風に揺れる木の葉の音、流れる川の音、又は鳥のさえずりの音等の１又は２以上の自然音を送出することができる。別の例では、１又は２以上の音声治療供給源は、仏教徒の念仏又はグレゴリオ聖歌とすることができる。様々な実施形態では、音声治療供給源１１０は、音波、亜音波、超音波の範囲等にあるヒトの聴力の範囲外の１又は２以上の音声信号を放射させることができる。
【００６６】
様々な実施形態のうちの少なくとも１つにおいて、超音波音声信号は、いずれかのピッチ及びいずれかの周波数を有する波の形態を取ることができるが、リラクゼーションを促進させるには低めのピッチ又は周波数が好ましい場合があり、ある一定の形態の治癒を促進させるには高めのピッチ、周波数が好ましい場合がある。１つの設定では、超音波は、ユーザの健全な安静心拍数を模擬してユーザ内にリラックスした規則的な心拍を誘導又は促進させるように設定される。別の設定では、超音波は、ユーザ１２４の１又は２以上の組織内に血流及び治癒を誘起するために、例えば、８００，０００Ｈｚと２，０００，０００Ｈｚの間等の高めとすることができる。
【００６７】
様々な実施形態のうちの少なくとも１つにおいて、ユーザ１２４に提供される１又は２以上の音声信号は、照明系１４０の１又は２以上の設定と同期される。例えば、１又は２以上の音声信号は、例えば、「日の出」フェーズ中に光が上昇する時に漸進的に強まることができ、例えば、「日の入り」フェーズ中に光が下降する時に音量又は強度を低減することができる。これに加えて、音声システム１３２は、包囲体１００内のユーザ１２４と通信するためにオペレータが使用することができる。例えば、１又は２以上の音声治療供給源１１０は、光治療が完了したこと又は完了間近であることを示す通知送信音、発話メッセージ、又は音楽の切り換わり等の聴覚通知を与えることができる。
【００６８】
１又は２以上の音声治療供給源１１０によって提供される１又は２以上の音声信号の強度又は種類を、治療期間の経過の間、段階的に変更してもよい。従って、１又は２以上の音声信号を、緩慢又は急速に上昇させ、短い期間又は長い期間にわたって横ばいにし、緩慢又は急速に下降させてもよいし、音声信号の強度、種類、又は供給源を変更してもよい。例えば、１つの設定では、１又は２以上の音声信号を、治療期間の経過の間、緩慢に上昇させ、急速に下降させ、急速に再度上昇させ、次いで緩慢に下降させるように設定してもよい。１又は２以上の音声信号の上昇又は下降は、徐々に行ってもよいし、段階的に行ってもよく、上昇期間又は下降期間中の段階は、同じ上昇期間又は下降期間中の別の段階と同じ長さであってもよいし、異なる長さであってもよい。
【００６９】
かくして、１つの設定では、１又は２以上の音声信号を急速に上昇させ、治療期間の大部分にわたって横ばいにし、次いで急速に下降させることができる。別の設定では、１又は２以上の音声信号を振動させ、治療期間の経過の間、数回連続的に上昇させ、ピークを構成し、下降させることができる。更に別の設定では、１又は２以上の音声信号を、治療期間の大部分にわたって緩慢に上昇させ、少しの間ピークを構成し、次いで急速に下降させることができる。更に別の設定では、１又は２以上の音声信号を、治療期間の経過の間、全体的に上昇させるが、全体的に上昇させたとき、小さい下降期間又は一時的な降下があってもよい。
【００７０】
更に別の設定では、提供される１又は２以上の音声信号の種類を、治療期間の経過の間、可聴音と、亜音波音と、超音波音との間、又はこれらの任意の組合せで変えてもよい。更に別の設定では、１又は２以上の音声信号を完全に減衰させてもよく、治療期間中の１又は２以上の期間にわたって、音声信号を提供しなくてもよい。更に別の設定では、提供される１又は２以上の音声信号の種類を、治療期間の経過の間、継続してもよく、この種類は、可聴音、亜音波音、又は超音波音のうちの１又は２以上を含む。音声設定は、例えば、ユーザからのフィードバックに基づいて、治療期間中にオペレータが設定可能である。しかしながら、本発明は、そのように限定されず、音声治療をユーザ１２４に提供するために多くの異なる変形の多くの他の音声治療設定を選択してもよいことを認識すべきである。
【００７１】
様々な実施形態のうちの少なくとも１つにおいて、制御システム１２８は、包囲体１００内のユーザ１２４に１又は２以上の芳香治療供給源１１６によって提供される１又は２以上の芳香の提供、種類、及び量をオペレータが制御することを可能にするように構成される。様々な実施形態の少なくとも幾つかにおいて、提供される１又は２以上の芳香は、リラクゼーションを促進させることは既知である。かかる芳香は、例えば、ビャクダン、バニラ、ハイビスカス、マツ、シナモン、ラベンダー、カモミール、ベルガモット、ジャスミン、バラ、ライラック、ブラックベリー、スグリ、セージ、及びレモングラスなどを別個に又は任意の組合せ又は順番で含む。これに加えて又はこれに代えて、特定のユーザに対してリラックスするものであることが既知である１又は２以上の特定の芳香を提供することができる。ユーザ１２４に提供される１又は２以上の芳香の濃度を、治療期間の経過の間、変えてもよい。１又は２以上の芳香治療設定は、包囲体１００内の空気をサンプリングし、予め決められた設定又はユーザ１２４からのフィードバックに従って提供される芳香の量又は種類を調節することができる芳香治療システム１３６によって調整される。これに加えて又はこれに代えて、芳香治療の１又は２以上の治療は、オペレータによって選択可能かつ設定可能である。
【００７２】
様々な実施形態のうちの少なくとも１つにおいて、ユーザ１２４に提供される芳香治療は、照明系１４０の１又は２以上の設定と同期される。例えば、芳香の量は、例えば、「日の出」フェーズ中に光が上昇する時に強度が高まることができ、例えば、「日の入り」フェーズ中に光が下降する時に強度が低下することができる。１又は２以上の芳香治療供給源１１６によって提供される芳香の強度又は種類を、治療期間の経過の間、段階的に変更してもよい。従って、芳香の量を、緩慢又は急速に上昇させ、短い期間又は長い期間にわたって横ばいにして、緩慢又は急速に下降させてもよいし、芳香の強度、種類、又は供給源を変更してもよい。例えば、１つの設定では、芳香の量を、治療期間の経過の間、緩慢に上昇させ、急速に下降させ、急速に再度上昇させ、次いで緩慢に下降させるように設定してもよい。芳香の量を上昇させ又は下降させることを徐々に又は段階的に行ってもよく、上昇期間又は下降期間中の段階は、同じ上昇期間又は下降期間中の別の段階と同じ長さであってもよいし、異なる長さであってもよい。
【００７３】
かくして、１つの設定では、芳香の量を急速に上昇させ、治療期間の大部分にわたって横ばいにし、次いで急速に下降させる。別の設定では、芳香の量は振動し、治療期間の経過の間、数回連続的に上昇させ、ピークを構成し、下降させることができる。更に別の設定では、芳香の量を、治療期間の大部分にわたって緩慢に上昇させ、少しの間ピークを構成し、次いで急速に下降させてもよい。更に別の設定では、芳香の量を、治療期間の経過の間、全体的に上昇させるが、全体的に上昇する時に小さい下降期間又は降下を受ける場合がある。
【００７４】
更に別の設定では、供給する１又は２以上の芳香の種類を、治療期間の経過の間、変えることができる。更に別の設定では、１又は２以上の芳香の量は、完全に減少することができ、芳香治療期間中の１又は２以上の期間にわたって芳香を提供しない場合がある。更に別の設定では、提供される１又は２以上の芳香の種類を、治療期間の経過の間、継続することができ、この種類は、１又は２以上の異なる芳香を含む。しかし、本発明は、そのように限定されず、芳香治療をユーザ１２４に提供するために多くの異なる変形の多くの他の芳香治療設定を選択することができることを認識すべきである。
【００７５】
様々な実施形態のうちの少なくとも１つにおいて、１又は２以上のＨＶＡＣデバイス１１４を用いてユーザに空気治療を行う。従って、包囲体１００内の温度、湿度、及び／又は空気移動のうちの１又は２以上は、所与のユーザ１２４の嗜好又は予め決められた設定に適合するように調整することができる。空気治療は、例えば、花粉、ブタクサ、及び粉塵等のアレルギー原を除去するために、又は包囲体１００内の空気をイオン化及び滅菌するために空気をフィルタリングするように１又は２以上のＨＶＡＣデバイス１１４を構成することを更に含む場合がある。空気治療は、ユーザ１２４の包囲体内に追加の酸素を提供する段階を更に含む。
【００７６】
様々な実施形態のうちの少なくとも１つにおいて、ユーザ１２４に提供される温度、湿度、酸素、及び／又は空気移動のうちの１又は２以上は、照明系１４０の１又は２以上の設定と同期される。例えば、温度、酸素、湿度、及び／又は空気移動のうちの１又は２以上は、例えば、「日の出」フェーズ中に光が上昇する時に増大することができ、例えば「日の入り」フェーズ中に光が下降する時に量又は強度を低減することができる。一例では、空気移動は、「日の出」フェーズ中に静止状態から穏やかな微風に増大することができる。
【００７７】
空気治療を行うための１又は２以上の設定を、治療期間の経過の間、変えてもよい。従って、温度、湿度、酸素、又は空気移動のうちの１又は２以上は、緩慢又は急速に上昇する、短い期間又は長い期間にわたって横ばいにする、緩慢又は急速に下降するか、又は芳香の強度、種類、又は供給源を変更することができる。例えば、１つの設定では、温度、湿度、酸素、及び／又は空気移動のうちの１又は２以上を、治療期間の経過の間、緩慢に上昇させ、急速に下降させ、急速に再度上昇させ、次いで緩慢に下降させるように設定してもよい。温度、酸素、湿度、及び／又は空気移動のうちの１又は２以上のものの上昇又は下降は、徐々に又は段階的に行うことができ、上昇期間又は下降期間中の段階は、同じ上昇期間又は下降期間中の別の段階と同じ長さ又は異なる長さとすることができる。
【００７８】
かくして、１つの設定では、温度、酸素、湿度、及び／又は空気移動のうちの１又は２以上は、急速に上昇、治療期間の大部分にわたって横ばいにし、次いで急速に下降することができる。別の設定では、温度、酸素、湿度、及び／又は空気移動のうちの１又は２以上は、振動し、治療期間の経過の間、数回連続的に上昇させ、ピークを構成し、下降させてもよい。更に別の設定では、温度、酸素、湿度、及び／又は空気移動のうちの１又は２以上を、治療期間の大部分にわたって緩慢に上昇させ、少しの間ピークを構成し、次いで急速に下降させてもよい。更に別の設定では、温度、酸素、湿度、及び／又は空気移動のうちの１又は２以上を、治療期間の経過の間、全体的に上昇させるが、全体的に上昇させたとき、小さい下降期間又は降下を行ってもよい。
【００７９】
様々な実施形態のうちの少なくとも１つにおいて、１又は２以上の空気治療設定は、例えば、ユーザ１２４からのフィードバックに基づいて、治療期間中にオペレータが設定可能である。しかし、本発明は、そのように限定されず、空気治療をユーザ１２４に提供するために多くの異なる変形の多くの他の空気治療設定を選択してもよいことを認識すべきである。
【００８０】
図１Ｃは、天井１０４を取外した図１Ｂの包囲体１００の平面図を示している。包囲体１００及び複数の光源１２６は、ユーザが包囲体１００内の箇所にいる時にユーザ１２４が光に浴するように構成され且つ配置される。この図に示すように、包囲体１００は、八角形の形状に構成される。包囲体１００等の八角形の包囲体は、光をユーザ１２４に向かって差し向けることができる望ましい多数の方向を与え、同時に複数の光源１２６からの光がそこで重なる区域も最大にする。一実施形態では、包囲体１００は９フィート（２．７４メートル）の直径を含む。様々な他の実施形態では、包囲体１００は、９フィート（２．７４メートル）よりも実質的に小さいか又は９フィート（２．７４メートル）よりも実質的に大きい直径を含む。包囲体１００の直径の長さは、ユーザ１２４がそこで休み、光治療の有益な効果を最適化するように自分自身を包囲体１００内の中心の箇所に位置決めするほど十分に長いとすることができる。
【００８１】
様々な実施形態のうちの少なくとも１つにおいて、包囲体１００は、正方形又は等辺形等の四辺形状を取り、かくして、各辺は同じ長さのものであり、各２つの隣接辺が同じ度数の角度を形成する。その結果、かかる実施形態では、複数の光源１２６の各々は、ユーザ１２４が包囲体１００の中心に置かれた時にユーザ１２４の箇所から等しい距離に位置決めされる。しかし、ユーザ１２４の箇所は包囲体１００の中心にある必要はなく、この箇所が包囲体１００内の何処にあったとしても、包囲体の床１０６、天井１０４、及び各壁１０２、並びに包囲体に位置決めされた複数の光源１２６は、この箇所に光を集中させるように構成されることを認識すべきである。
【００８２】
様々な実施形態のうちの少なくとも１つにおいて、複数の光源１２６の各々は、１又は２以上の壁１０２内に位置決めされる。従って、複数の光源１２６からの光（破線）は、包囲体１００内のユーザ１２４の箇所に向かって集中される。この図に示すように、ユーザ１２４は、包囲体１００の中心の近くの箇所にある安静面１２２上に寝ており／休んでおり、水の容器１２０が安静面１２２に近いテーブル１１８の上に載っている。複数の光源１２６からの光は、ユーザ１２４の箇所の周りに最大光密度の３次元領域又は「バブル」を形成するように向けられ、この３次元領域は、ユーザ１２４及び選択的に水の容器１２０が放射光に浴する。一部の事例では、ユーザ１２４に提供される光治療の強度を更に促進させるために、放射光波の共振を達成することができる。
【００８３】
様々な実施形態のうちの少なくとも１つにおいて、床１０６、天井１０４、及び／又は１又は２以上の壁１０２の少なくとも一部分に沿って１又は２以上のＬＥＤライト１４２を位置決めることができる。１又は２以上のＬＥＤライト１４２は、治療期間の前又は後、又は提供される光が可視光スペクトルの範囲にない光である時等の複数の光源１２６が可視光を提供していない時に、ユーザ１２４が順応するのに役立ち、安全に包囲体１００に入室する及びそこを退室することにおいてユーザを助ける。
【００８４】
図２Ａ〜図２Ｃは、装置の別の実施形態を示している。図２Ａに示すように、この装置は、正方形の形状からなる天井２０４と、床２０６と、壁２０２とを有する包囲体２００を含む。図２Ｂに示すように、包囲体２００は、壁２０２の各々に沿ってその中に位置決めされた複数の光源２２６を含み、更に、音声システム２３２に結合された１又は２以上の音声治療供給源２１０と、芳香治療システム２３６に結合された１又は２以上の芳香治療供給源２１６と、ＨＶＡＣシステム２３８に結合された１又は２以上の加熱換気及び空気調整（ＨＶＡＣ）デバイス２１４とを含む。同じく複数の光源２２６も照明系２４０に結合される。包囲体２００は、ユーザ２２４が包囲体２００内にいる時にユーザ２２４の安全をモニタするためにビデオシステム２３４に結合された１又は２以上のビデオカメラ２１２を更に含む。音声システム２３２、ビデオシステム２３４、芳香治療システム２３６、ＨＶＡＣシステム２３８、及び照明系２４０の各々は、制御システム２２８に結合されてそれによって制御され、制御システム２２８にはディスプレイ１３０が結合され、オペレータ（図示せず）が、とりわけ、治療設定を制御することが可能になる。
【００８５】
この実施形態では、複数の光源２２６によって提供される光治療、１又は２以上の音声治療供給源２１０によって提供される音声治療、１又は２以上の芳香治療供給源２１２によって提供される芳香治療、又は１又は２以上のＨＶＡＣデバイス２１４によって提供される空気治療のうちの１又は２以上のものの１又は２以上の設定は、図１Ａ〜図１Ｃに示す実施形態に関して上述した複数の光源１２６によって提供される光治療、１又は２以上の音声治療供給源１１０によって提供される音声治療、１又は２以上の芳香治療供給源１１２によって提供される芳香治療、又は１又は２以上のＨＶＡＣデバイス１１４によって提供される空気治療とそれぞれ同じ様式で制御及び変更することができる。従って、例えば、治療期間においてユーザ２２４に提供される光を、治療期間の経過の間、１又は２以上の日中サイクル、例えば、「日の出」フェーズ、それに続く「日中」フェーズ、更に「日の入り」フェーズの１又は２以上のサイクルを模擬するように設定してもよい。
【００８６】
この実施形態の包囲体２００内には、複数の光源２２６が壁２０２の各々に沿ってその中に位置決めされる。床２０６の中心に沿う箇所にユーザ２２４に対する安静面２２２が位置決めされる。安静面２２２に近いテーブル２１８上に、水を含む容器２２０が載る。安静面２２２、ユーザ２２４、及び容器２２０の箇所を包囲体２００の中心に示すが、この箇所は、包囲体２００の別の区域内にしてもよいことを理解すべきである。包囲体２００の床２０６、天井２０４、及び各壁２０２、並びに複数の光源２２６は、ユーザ２２４に提供される光治療を改善するためにこの箇所に放射光を集中させるように構成される。
【００８７】
包囲体２００を用いて光治療を行う例を図２Ｃに例示し、この場合、複数の光源２２６からの光は、この箇所の周りに最大光密度の３次元領域又は「バブル」を形成し、ユーザ２２４及び選択的な容器２２０が放射光に浴するように集中させられる。幾つかの例では、ユーザ１２４に提供される光治療の有効性を更に促進させるために、放射光の共振を達成してもよい。床２０６、天井２０４、及び壁２０２のうちの１又は２以上のものの少なくとも一部分に沿って１又は２以上のＬＥＤライト２４２が位置決めされてもよい。１又は２以上のＬＥＤライト２４１は、光治療期間の前又は後、又は放射光が不可視光スペクトル内で提供される時等の複数の光源２２６が可視光を提供していない時に、ユーザ２２４を順応させ、安全に包囲体２００に入室すること及びそこを退室することにおいてユーザを助ける。更に、複数の光源２２６のうちの１又は２以上は、放射光を包囲体２００内の箇所に更に差し向け、そこに集中させるか又は集中させない１又は２以上のレンズ（図示せず）を含む。
【００８８】
図１Ｃ及び図２Ｃを参照することにより、複数の光源１２６、２２６の箇所及び個数を含む異なる構成を有する包囲体１００、２００が、ユーザ１２４、２２４が浴する光の「バブル」の寸法、形状、及び光密度に基づいてユーザ１２４、２２４に強め又は弱めの光治療を行うことができることを理解すべきである。
【００８９】
上述のように、光治療を行う方法は、包囲体１００、２００の１又は２以上の治療設定を、それに対応する制御システム１２８、２２８を用いて調整することを伴う場合がある。図３は、ユーザ情報３０８にアクセスしてそれを入力し、包囲体３０２の治療設定３１０を制御するための制御システム３０６を示すブロック図を示す。少なくとも幾つかの実施形態では、制御システム３０６は、ディスプレイ３０４に結合され、音声システム３１２、ビデオシステム３１４、芳香治療システム３１６、ＨＶＡＣシステム３１８、照明系３２０、及び分光計システム３２２のうちの１又は２以上を制御する。包囲体３０２は、制御システム３０６によって制御される他のシステム（図示せず）を含んでもよいことを理解すべきである。
【００９０】
ここで本発明による方法のある一定の実施形態を図４Ａ〜図４Ｅに関して以下に説明する。図４Ａは、リラクゼーション及び健康を促進させる治療を行う方法４００の一実施形態を全体的に示す論理流れ図を示している。一実施形態では、方法４００は、開始ブロックの後、ブロック４０２で始まり、そこで治療期間の前にユーザ情報が選択的に収集される。
【００９１】
本方法は、次いで、ブロック４０４において、測定情報又は報告情報、履歴情報、又はオペレータが選択した情報を含む収集ユーザ情報のうちの１又は２以上に基づいて治療のための複数の設定を発生させることを伴っている。複数の設定は、オペレータが設定可能及び／又は選択可能とすることができる。次いで、ユーザに１又は２以上の治療を行うために複数の設定のうちの１又は２以上を選択する。
【００９２】
次いで、ユーザを包囲体に導入し、１又は２以上の治療を受けるための箇所に位置決めする。ブロック４０６において、１又は２以上の設定に従って１又は２以上の治療をユーザに提供する。例えば、１又は２以上の選択設定に基づいて、放射光を１又は２以上の期間にわたってこの箇所に差し向ける。
【００９３】
１又は２以上の治療を完了したら、ブロック４０８において、ユーザに関する測定情報及び報告情報のうちの１又は２以上を含む治療後情報を得る。ブロック４１０において、治療後情報に基づいて、ユーザに関する報告を発生させる。次いで、方法４００は、開始ブロックに戻り、他のアクションを実行することができる。ブロック４０２〜４１０で行われるアクションの各々を、図４Ｂ〜図４Ｅを参照して、以下により詳細に説明する。
【００９４】
ユーザ情報を、１又は２以上の治療設定を発生させて選択するために様々な方法で収集することができる（図４Ａのブロック４０２、４０４を参照されたい）。例えば、図４Ｂは、ユーザ情報を収集し、複数の治療設定を発生させ、これらの複数の治療設定のうちの１又は２以上を選択する方法４１２の一実施形態を全体的に示す論理流れ図を示している。この図に示すように、方法４１２は、開始ブロックの後、ブロック４１４で始まり、ユーザの識別情報及び連絡先情報を得る。様々な実施形態の少なくとも幾つかにおいて、ユーザ識別情報は、例えば、ユーザの名称、社会保障識別番号、運転免許証番号、保険適用範囲、内科治療及び請求書コード、血液型、及び近親者情報のうちの１又は２以上を含む。様々な実施形態の少なくとも幾つかにおいて、ユーザ連絡先情報は、例えば、ユーザの自宅住所、勤務先住所、掛かり付け医の連絡先情報、電話番号、及び電子メールアドレスのうちの１又は２以上を含む。
【００９５】
ブロック４１６において、ユーザの身体属性に関する情報を測定し、これらの情報は、例えば、ユーザの身長、体重、年齢、性別、髪色、民族性、血圧、観察される皮膚の色合い及び筋緊張肺活量、握力、反射機能、及びユーザの歯の健康のうちの１又は２以上を含む。様々な実施形態のうちの少なくとも１つにおいて、ユーザの体温を、指先又はつま先等のユーザの身体の四肢において取得することができる。ストレスが血管収縮を促進させることは既知であり、リラクゼーションが血管拡張を促進させることは既知であるので、四肢で測定される体温は、ユーザのストレスレベルの指標とすることができる。従って、低めの四肢温度は高ストレスレベルを示すことができ、それに対して標準温度（〜９８．６°Ｆ（３７℃））に近い四肢温度は低めのストレスレベルを示すことができる。
【００９６】
ブロック４１８において、ユーザスペクトル情報が、手持ち式分光計等の分光計を用いて測定される。方法４１２のこの態様では、ユーザの身体から放射又は反射する熱、光、及び電荷等の１又は２以上のエネルギスペクトルをユーザの生理学的状態の表示として検出するために、分光計が使用される。本方法での使用に適する手持ち式分光計は、例えば、米国デラウェア州ニューアーク所在のＢＷ  Ｔｅｋ（登録商標）からの手持ち式Ｒａｍａｎ（登録商標）分光計を含む。
【００９７】
ブロック４２０において、ユーザのストレス及び健康レベルへの追加の洞察を与えるためにユーザ報告情報を提供する。様々な実施形態のうちの少なくとも１つにおいて、ユーザは、例えば、ユーザが知覚した現在又は最近のストレスレベルと、感情状態と、いずれかの現在の薬剤使用及び診断病状と、ユーザのストレスレベル及び感情状態に関する可能性がある最近の生活事象と、ユーザの食事と、運動レベルと、タバコ、酒、又は他の物質の使用と、精神的健康、高血圧、心疾患、又は任意の他の病態の家族履歴とに関する調査情報を提供する。
【００９８】
これに代えて又はこれに加えて、オペレータは、例えば、オペレータによるユーザの観察と、オペレータによるユーザとの対話と、ユーザと１又は２以上の他のユーザの間のいずれかの類似性と、例えば、治療の日付、季節、地理的箇所、太陰周期のフェーズ、及び治療日の日差し、雨、暗曇、困難な車両運転条件、及び大気圧等の気象条件等のオペレータの把握情報とに関する情報を報告することができる。
【００９９】
方法４１２は、判断ブロック４２２に進み、ブロック４１６〜４２０からの測定ユーザ身体属性と、測定ユーザスペクトル値と、ユーザが報告した状態とに基づいて、１又は２以上の治療設定に関する治療提案が適切であるか否かに関する決定を行う。様々な実施形態のうちの少なくとも１つにおいて、治療提案は、ユーザに提供される光治療の強度、種類、持続時間、及びサイクルと、ユーザに提供される音声治療の選択、持続時間、及び音量と、ユーザに提供される芳香治療の選択、持続時間、及び強度と、ユーザに提供される空気治療の温度、湿度、換気、イオン化、フィルタリング、酸素化、及び持続時間とを含む１又は２以上の治療設定に関して行うことができる。
【０１００】
治療提案が適切であるとオペレータが決定した場合、履歴情報を得る。履歴情報は、１又は２以上の治療を受けた複数の他のユーザに関する発見的情報、又はユーザが以前に受けた１又は２以上の治療に関する発見的情報のうちの１又は２以上を含む。ブロック４２４において、治療を受けた複数の他のユーザに関する発見的情報、及び適切な場合にユーザに関する発見的情報を得る。発見的治療設定提案（ブロック４２４）は、ユーザの治療履歴に基づいて発見的に決定された治療設定、又は治療を受けた複数の他のユーザの治療履歴に基づいて発見的に決定された治療設定のうちの１又は２以上を含む。履歴情報は、適切な場合にユーザの以前の治療設定を含む。ブロック４２６において、ユーザの以前の治療設定を得る。
【０１０１】
治療提案を受入れないことをオペレータが決定した場合、ブロック４２８において、デフォルト治療設定を得る。ブロック４２４及び４２６のうちの一方又は両方又はこれに代えてブロック４２８からの治療設定が提示されると、オペレータは、ユーザに１又は２以上の治療を行うために複数の設定のうちの１又は２以上を選択する。選択した治療設定のうちの１又は２以上は、オペレータによって更に構成される。次いで、方法４１２は、他のアクションを実行するために開始ブロックに戻ることができる。
【０１０２】
図４Ｃは、本発明により、ユーザに治療を行う方法４３２の一実施形態を全体的に示す論理流れ図を示している。開始ブロックの後、方法４３２は、上述の包囲体１００、２００等の本発明による包囲体内でユーザに光治療を行うことによって始まる。光治療を、１又は２以上の選択した治療設定（図４Ｂ及び以上の説明を参照されたい）に基づいて１又は２以上の期間にわたって提供する。
【０１０３】
方法４３２は、判断ブロック４３６、４４０、４４４に進み、それぞれ、ユーザに音声治療を行うか否か、芳香治療を行うか否か、又は空気治療を行うか否かに関して決定を行う。判断ブロック４３６、４４０、４４４において行われる決定は、任意の順序で行うことができることを理解すべきである。
【０１０４】
音声治療を行うことを決定した場合、ブロック４３８において、１又は２以上の音声治療供給源を用いて１又は２以上の選択設定に基づいて１又は２以上の期間にわたって包囲体の内側に１又は２以上の音声信号を放射させることによって、ユーザに音声治療を行う。芳香治療が行うことを決定した場合、ブロック４４２において、１又は２以上の芳香治療供給源を用いて１又は２以上の選択設定に基づいて１又は２以上の期間にわたって包囲体の内側に１又は２以上の芳香を放射させることによって、ユーザに芳香治療を行う。空気治療を行うことを決定した場合、ブロック４４６において、１又は２以上のＨＶＡＣデバイスを用いて１又は２以上の選択設定に基づいて１又は２以上の期間にわたって包囲体の内側の空気を調整することによって、ユーザに空気治療を行う。
【０１０５】
音声治療、芳香治療、又は空気治療のうちの１又は２以上を提供するか否かの決定に続いて、方法４３２は、判断ブロック４４８に進み、１又は２以上の選択した治療設定（図４Ｂのブロック４３０）への参照によって、光治療を終了したか否かに関する決定を行う。光治療を終了していないと決定した場合、方法４３２は、判断ブロック４３６、４４０、４４４を繰り返すために戻り、適切であれば光治療を終了するまで、治療４３８、４４２、４４６のうちの１又は２以上を提供する。光治療を終了したと決定した場合、光治療を終了したことをユーザに通知するために、例えば、上述の音声通知を提供する。次いで方法４３２は開始ブロックに戻り、他の機能を実行する。
【０１０６】
これに加えて、図示していないが、オペレータは、ユーザに光治療を提供しないことを選択することができ、その代わりに音声治療、芳香治療、又は空気治療等の他の治療のうちの１又は２以上を包囲体内のユーザに提供することができる。
【０１０７】
光治療を完了した後、ユーザを包囲体から出して、更に別のアクションを実行することができる。図４Ｄは、治療後プロトコルを提供する方法４５２の一実施形態を全体的に示す論理流れ図を示している。開始ブロックの後、方法４５２は、ブロック４５４において、光治療によって処理した水の容器をユーザに飲用に提供することによって始まる。飲料水中の細菌及びウイルスを死滅させることによって飲料水を滅菌するために、ＵＶ光による処理を使用することができることは既知であり、これに加えて、光によって水を処理することにより、摂取時に細胞過程の滑らかな機能に対して有益なＨ3Ｏ2分子の規則的な電荷分離（「排他ゾーン」）配置を発生させるように、水分子を構成する水素原子と酸素原子とを再配置することができると考えられている。
【０１０８】
ブロック４５６〜４６０において、ユーザに関する治療後情報を得、これらの情報は、測定情報及び報告情報のうちの１又は２以上を含む。測定情報は、例えば、ユーザの四肢温度、血圧、心拍数、又はユーザのスペクトル値等のユーザの身体属性を含む。報告情報は、例えば、リラクゼーション又は覚醒の感覚、残存するストレス又は疼痛、幸福又は楽観の感覚、又は疲労又は鬱病の感覚の改善に関するユーザ調査情報を含む。これに加えて又はこれに代えて、報告情報は、オペレータによるユーザの観察及びユーザとの対話に関する情報を含む。方法４５２は、報告情報又は調査情報のうちの１又は２以上を収集する段階を更に含む。次いで方法４５２は、更に別の治療後プロトコルを得るために戻る。
【０１０９】
次いで、ユーザに関する報告を発生させるために治療後情報を使用される。図４Ｅは、本発明により、ユーザに関する報告を発生させる方法４６２の一実施形態を全体的に示す論理流れ図を示している。開始ブロックの後、方法４６２は、ブロック４６４で始まり、ユーザの治療前測定情報（図４Ｂのブロック４１６〜４２０）と治療後測定情報（図４Ｄのブロック４５６〜４６０）を比較する。ブロック４６６において、ユーザの治療後測定値を、ユーザに関する発見的測定値（適応可能な場合）と治療を受けた複数の他のユーザに対して比較する。
【０１１０】
同様に、ブロック４６８において、現在の治療に関するユーザの治療前及び治療後の調査を、対応する発見的ユーザ調査と比較する（適応可能な場合）。ブロック４７０において、方法４６２は、ユーザに対する現在の治療設定の効果を決定するために、ブロック４６４、４６６、及び４６８で行われた比較を分析することを伴う。少なくともこの分析に基づいて、ユーザに提供された１又は２以上の治療に関する報告を発生させる。報告は、現在の設定に沿って１又は２以上の治療を続ける、治療のうちの１又は２以上を修正する、又は治療のうちの１又は２以上を中止するという将来の提案を含んでいてもよいし、それを通知してもよい。
【０１１１】
ユーザに提供した現在の治療の分析、ユーザに提供した以前の治療の分析、又はユーザに提供した治療と以前に治療を受けた他のユーザに提供した治療との比較分析のうちの１又は２以上を含む報告を発生させ、それをインタフェースによって表示することができる。図５Ａは、本発明によるインタフェースの例示の実施形態５００を示す。この図に示すように、インタフェース５００は、オペレータがユーザ情報にアクセスしたり、それを入力したりすることを可能にする。例えば、オペレータは、ユーザ識別情報５０２と、ユーザ連絡先情報５０４と、ユーザ身体属性５０６と、ユーザ治療履歴５０８（適応可能な場合）と、ユーザ報告状態５１０（適応可能な場合）と、分光計（図示せず）から得たユーザスペクトル値５１２とに関する既存の情報にアクセスしたり、新しい情報を入力したりすることができ、ユーザに関する報告を発生させることができる。
【０１１２】
図５Ｂは、ユーザ治療履歴にアクセスするためのインタフェースの一例示の実施形態５１６を示している。この図に示すように、インタフェース１６は、オペレータが、一連の治療期間にわたる治療前及び治療後の報告期間におけるユーザの報告ストレスレベル等のストレスメトリックをグラフ５１８で閲覧することを可能にする。凡例５２０は、ユーザ治療履歴トリック情報を解釈する際にオペレータを助けるものである。図５Ｃは、オペレータが、一連の治療期間にわたって四肢で測定したユーザの体温等の別のストレスメトリックにアクセスしてもそれを凡例５２６の補助によってグラフ５２４内で解釈することができるインタフェースの例示の実施形態５２２を示す。
【０１１３】
図５Ｄは、オペレータが、ユーザの以前の治療設定と、ユーザの履歴平均治療設定と、治療を受けた複数の他のユーザに関する平均治療設定とを凡例５３２を参照してグラフ５３０で比較することによって、治療期間の経過の間、光強度設定等の提案治療設定を選択することができるインタフェースの別の例示の実施形態５２８を示す。適切な治療提案を決定したら、ユーザ治療のための１又は２以上の提案設定を、それに対応するインタフェースタブ５３４を用いて選択する。
【０１１４】
図５Ｅは、オペレータが１又は２以上の治療設定５６４を選択することができるインタフェースの別の例示の実施形態５３６を示す。芳香治療タブ５３８は、芳香の種類又は持続時間に関する１又は２以上の設定５４０を閲覧又は入力するためのアクセスを与える。光治療タブ５４２は、光の種類又は強度５４４又は期間設定５４６に関する１又は２以上の設定を閲覧又は入力するためのアクセスを与える。音声タブ５４８は、音声の種類又は持続時間に関する１又は２以上の設定５５０を閲覧又は入力するためのアクセスを与える。ＨＶＡＣタブ５５２は、上昇、ピーク、及び下降の設定５５６等の湿度又は温度５５４に関する１又は２以上の設定、又はイオン化、酸素化、又はフィルタリング等の空気の処理５５８に関する１又は２以上の設定を閲覧又は入力するためのアクセスを与える。言語タブ５６６は、オペレータ又はユーザのうちの１又は２以上の関連言語に基づいてユーザに関する報告を発生させるための書き言葉を選択することによって報告を現地語化させることを可能にする。同じく、図示していないが、測定単位タブは、ユーザに関する報告を発生させるための測定単位を当該箇所に使用される関連測定単位、例えば、キログラム／メートル対ポンド／フィートに基づいて選択することにより、オペレータが報告を現地語化することを可能にする。
【０１１５】
これに代えて、オペレータは、ユーザ又は治療を受けた複数の他のユーザに基づく発見的設定等の提案設定５６０、又はユーザの以前の治療設定５６２のいずれかを選択することができる。図５Ａ〜図５Ｅに示したインタフェースは、単に例示の目的に過ぎず、本発明によるユーザインタフェースは、これらの例示の実施形態とは１又は２以上の態様において異なる場合があることを認識すべきである。
【０１１６】
本発明は、本発明により包囲体内に位置決めされたユーザに治療を行うための命令を含むコンピュータ可読非一時的ストレージ媒体を更に含む。これらの命令は、とりわけ、プロセッサ６０２と、大容量メモリ６０４と、コンピュータ可読非一時的ストレージ媒体６３８とを含む図６のコンピュータ６００等のコンピュータによって実行される。コンピュータ６００は、図６に示すものよりもかなり多いか又は少ない構成要素を含む。
【０１１７】
この図に示すように、コンピュータ６００は、バス６４０を通じて大容量メモリ６０４と通信しているプロセッサ６０２を含む。幾つかの実施形態では、プロセッサ６０２は、１又は２以上の中央演算処理装置（ＣＰＵ）又はＡＳＩＣ等の論理回路を含む。コンピュータ６００は、電源６２６と、１又は２以上のネットワークインタフェース６２８と、ディスプレイ６３０と、キーパッド６３２と、照明器６３４と、入力／出力インタフェース６３６とを更に含む。
【０１１８】
大容量メモリ６０４は、ランダムアクセスメモリ（ＲＡＭ）６０６と、読取専用メモリ（ＲＯＭ）６２２と、他のストレージ手段とを含む。大容量メモリ６０４は、コンピュータ可読命令、データ構造、プログラムモジュール、又は他のデータ等の情報の記憶のためのコンピュータ可読一時的及び非一時的ストレージ媒体（デバイス）の例を示している。大容量メモリ６０４は、コンピュータ６００の低レベル作動を制御するための基本入力／出力システム（ＢＩＯＳ）６２４などを記憶する。大容量メモリは、コンピュータ６００の作動を制御するためのオペレーティングシステム６０８を更に記憶する。この構成要素は、あるバージョンのＵＮＩＸ(登録商標)又はＬＩＮＵＸ（登録商標）等の汎用オペレーティングシステム、又はＭｉｃｒｏｓｏｆｔ  ＣｏｒｐｏｒａｔｉｏｎのＷｉｎｄｏｗｓ  Ｍｏｂｉｌｅ（登録商標）、Ａｐｐｌｅ  ＣｏｒｐｏｒａｔｉｏｎのｉＯＳ（登録商標）、Ｇｏｏｇｌｅ  ＣｏｒｐｏｒａｔｉｏｎのＡｎｄｒｏｉｄ（登録商標）、又はＳｙｍｂｉａｎ（登録商標）オペレーティングシステム等の専用クライアント通信オペレーティングシステムを含むことを認識すべきである。オペレーティングシステムは、アプリケーションプログラムを通してハードウエア構成要素及び／又はオペレーティングシステムの作動の制御を可能にするＪａｖａ(登録商標)仮想機械モジュールを含むか又はそれにインタフェースで接続することができる。
【０１１９】
大容量メモリ６０４は、とりわけ、所与のクライアントアプリケーション６１４、ブラウザ６１８、又は他のアプリケーション６２０等のアプリケーション６１２及び／又は他のデータを記憶するためにコンピュータ６００によって利用することができる１又は２以上のデータストレージ６１０を更に含む。例えば、データストレージ６１０は、コンピュータ６００の様々な機能を記述する情報を記憶するのに使用することができる。この場合に、情報は、通信中にヘッダの一部として送信されること又は要求時に送信されることなどを含む様々な事象のうちのいずれかに基づいて別のコンピュータに与えることができる。
【０１２０】
コンピュータ６００は、選択的に、基地局（図示せず）又は直接的に別のコンピュータと通信することができる。ネットワークインタフェース６２８は、コンピュータ６００を１又は２以上のネットワークに結合するための回路を含み、ＧＳＭ(登録商標)、ＣＤＭＡ、ＴＤＭＡ、ＧＰＲＳ、ＥＤＧＥ、ＷＣＤＭＡ(登録商標)、ＨＳＤＰ  Ａ、ＬＴＥ、ユーザデータグラムプロトコル（ＵＤＰ）、送信制御プロトコル／インターネットプロトコル（ＴＣＰ／ＩＰ）、ショートメッセージサービス（ＳＭＳ）、ＷＡＰ、超広帯域無線（ＵＷＢ）、ＩＥＥＥ  ８０２．１６世界規模相互運用マイクロ波アクセス（ＷｉＭａｘ）、期間開始プロトコル／実時間伝達プロトコル（ＳＩＰ／ＲＴＰ）、又は様々な他の無線通信プロトコルのうちのいずれかを含むがこれらに限定されない１又は２以上の有線又は無線の通信プロトコル及び通信技術との併用可能に構成される。ネットワークインタフェース６２８は、時に送受信機、送受信デバイス、又はネットワークインタフェースカード（ＮＩＣ）として既知である。
【０１２１】
ディスプレイ６３０は、液晶ディスプレイ（ＬＣＤ）、ガスディスプレイ、プラズマディスプレイ、ＬＥＤディスプレイ、有機ＬＥＤディスプレイ、又はコンピュータと併用される任意の他の種類のディスプレイとすることができる。ディスプレイ６３０は、スタイラス又はヒトの手からの指等の物体から入力を受入れるように配置されたタッチ感応画面を含む。
【０１２２】
キーパッド６３２は、オペレータからの入力を受入れるように配置されたいずれかの入力デバイスを含む。例えば、キーパッド６３２は、プッシュボタン数値ダイヤル又はキーボードを含む。キーパッド６３２は、画像を選択及び送信することに関する指令ボタンを含む。
【０１２３】
照明器６３４は、ステータス表示を提供する及び／又は光を提供することができる。照明器６３４は、特定の期間にわたって又は事象に応答してアクティブに留まることができる。例えば、照明器６３４がアクティブである時に、それは、キーパッド６３４上のボタンを背面照明し、コンピュータが給電される間はオンに留まることができる。照明器６３４は、別のコンピュータにダイヤルすること等の特定のアクションが実施される時にこれらのボタンを様々なパターンで背面照明することができる。照明器６３４はまた、コンピュータの透明又は半透過性のケース内に位置決めされた光源にアクションに応答して照明させることができる。
【０１２４】
コンピュータ可読ストレージ媒体６３８は、コンピュータ可読命令又はプロセッサ可読命令、データ構造、プログラムモジュール、又は他のデータ等の情報の記憶のためのいずれかの方法又は技術に実施された揮発性媒体、非一時的媒体、非遷移的媒体、不揮発性媒体、着脱可能媒体、及び着脱不能媒体を含む。コンピュータ可読ストレージ媒体の例は、ＲＡＭ、ＲＯＭ、電気的消去可能プログラマブル読取専用メモリ（ＥＥＰＲＯＭ）、フラッシュメモリ又は他のメモリ技術、コンパクトディスク読取専用メモリ（ＣＤ−ＲＯＭ）、デジタル多用途ディスク（ＤＶＤ）５又は他の光学ストレージ、固体ドライバ（ＳＳＤ）、磁気カセット、磁気テープ、磁気ディスクストレージ又は他の磁気ストレージデバイス、又は望ましい情報を記憶するのに使用することができ、コンピュータがアクセス可能な任意の他の物理的媒体を含む。
【０１２５】
コンピュータ６００は、その物理的座標と拡張により地球面上での装置の箇所とを決定するためにＧＰＳ送受信機６４２を更に含む。ＧＰＳ送受信機６４２は、幾つかの実施形態では任意的なものとすることができる。ＧＰＳ送受信機６４２は、一般的に箇所を緯度値及び経度値として出力する。しかし、ＧＰＳ送受信機６４２は、コンピュータ６００の物理的座標と拡張により地球面上での装置の箇所とを更に決定するために三角測位、支援型ＧＰＳ（ＡＧＰＳ）、強化観察時間差（Ｅ−ＯＴＤ）、セル識別子（ＣＩ）、サービス区域識別子（ＳＡＩ）、拡張タイミングアドバンス（ＥＴＡ）、又は基地局サブシステム（ＢＳＳ）などを含むがこれらに限定されない他の測位機構を使用することができる。様々な実施形態のうちの１つにおいて、ＧＰＳ送受信機６４２は、言語及び測定単位を特定の書き言葉に関する物理的地域に現地語化し、それによって例えば関連の書き言葉及び測定単位で報告されるユーザに関連する報告を当該地域内に物理的に位置決めされたユーザ又はオペレータに対して自動較正するのに使用することができる。様々な実施形態のうちの１つにおいて、例えば、オペレータが物理的地域に関連付けられたものとは異なる別の言語及び他の測定単位に精通している場合にＧＰＳ基づく自動現地語化を無効にするために、言語設定は、オペレータによって設定可能である（図５Ｅの５６６を参照されたい）。
【０１２６】
ＧＰＳ送受信機６４２は、異なる条件下でコンピュータ６００に関する物理的場所を数ミリメートルの範囲で決定することができ、他の場合は決定される物理的場所は、１メートル又は有意に大きい差の範囲等のそれ程高精度のものではない場合があることは理解される。しかし、一実施形態では、コンピュータ６００は、その物理箇所を決定するのに使用することができ、例えば、メディアアクセス制御（ＭＡＣ）アドレス又はＩＰアドレスなどを含む他の情報を他の構成要素を通して与えることができる。
【０１２７】
コンピュータ６００は、地理位置情報を決定するためのセンサ６４４（例えば、ＧＰＳ）、タイミング（例えば、所与の期間内の時間、日、月、及び年）を決定するためのセンサ６４４、電力状態をモニタするためのセンサ６４４（例えば、電圧センサ、電流センサ、周波数センサ等の）、又は気象をモニタするためのセンサ６４４（例えば、サーモスタット、気圧計、風力計、湿度検出器、雨量計）などを含む。
【０１２８】
一例では、センサは、例えば包囲体の物理的場所での高度又は気象変化を決定するために包囲体の周りの大気圧を使用することができる。別の例では、センサ情報は、装置の緯度位置に基づいて日中サイクルが治療の日付において別の緯度位置で可能性があるものよりも短いか又は長い可能性があることを決定するのに使用することができる。従って、包囲体が位置決めされ且つ現地語化された物理的地域に特定の現在の日中サイクルを模擬するように光治療設定を設定してもよい。同様に、センサによって決定される現地語化情報は、装置が、周囲の温度、湿度、及び他の現象に影響を及ぼす可能性があるモンスーン等の厳しい気象事象がもたらされやすい地域内に位置決めされたと決定することができ、この場合に、温度、湿度、又は空気処理等の空気治療に関連する１又は２以上の設定を調節することができる。
【０１２９】
感知した情報は、変化を補うために１又は２以上の治療設定を自動調節するのに使用することができ、又は調節が必要な可能性があることをオペレータに警告するのに使用することができる。一例では、感知情報は、特定の箇所に関する熱、湿度、高度、日光の量、日中サイクルの長さ、磁力線への近接度、及び太陰周期等の所与の地域の既知の態様に基づいてユーザのストレス又は健康関連の症状及びその有力な原因を評価又は予想するために、並びに１又は２以上の治療設定を適切に自動調節するために使用することができる。別の例では、感知情報は、警告でオペレータに与えられ、オペレータは、それに反応すること又はそれを無視することを選択することができる。センサ６４４は、コンピュータ６００の外部にあるデータを収集及び／又は測定する１又は２以上のハードウエアセンサとすることができる。
【０１３０】
コンピュータ６００による命令の実行は、測定情報、報告情報、履歴情報、又はオペレータ選択情報のうちの１又は２以上に基づいて治療のための複数の設定を発生させることと、ユーザに治療を行うためのオペレータによって設定可能である複数の設定のうちの１又は２以上を選択することと、包囲体の床、天井、又は１又は２以上の壁に位置決めされた複数の光源によって光が提供される時に包囲体の床、天井、及び各壁が光をこの箇所に集中させるように構成された包囲体内の箇所にユーザを位置決めすることを含むアクションを提供する。
【０１３１】
アクションは、複数の光源を用いて１又は２以上の選択設定に基づいて１又は２以上の期間にわたってその箇所に向かって光を放射させることによってユーザに治療を行うことと、ユーザに関する測定情報及び報告情報のうちの１又は２以上を含む治療後情報を提供することと、ユーザに提供した治療の分析を含むユーザに関する報告を治療後情報に基づいて発生させることを更に含む。
【図１Ａ】
0006788676.tif 000002
【図１Ｂ】
0006788676.tif 000003
【図１Ｃ】
0006788676.tif 000004
【図２Ａ】
0006788676.tif 000005
【図２Ｂ】
0006788676.tif 000006
【図２Ｃ】
0006788676.tif 000007
【図３】
0006788676.tif 000008
【図４Ａ】
0006788676.tif 000009
【図４Ｂ】
0006788676.tif 000010
【図４Ｃ】
0006788676.tif 000011
【図４Ｄ】
0006788676.tif 000012
【図４Ｅ】
0006788676.tif 000013
【図５Ａ】
0006788676.tif 000014
【図５Ｂ】
0006788676.tif 000015
【図５Ｃ】
0006788676.tif 000016
【図５Ｄ】
0006788676.tif 000017
【図５Ｅ】
0006788676.tif 000018
【図６】
0006788676.tif 000019